(57)【特許請求の範囲】
【請求項１】
支持台に支持された箱状の外殻体と、前記外殻体内に配設された上下一対の回転ブラシおよび洗浄液散布手段と、前記上下一対の回転ブラシを回転させる回転駆動手段と、前記外殻体の一方の側壁から前面壁および後面壁にわたって三面に開口する出入口とを有し、前記一方の側壁側から前記出入口を介して消防ホースを前記上下一対の回転ブラシ間に出し入れできるように構成された洗浄機本体を備えており、前記外殻体の前面壁側には、前記出入口の前面壁開口部へ前記消防ホースを二列状態でよじれないように案内する案内枠体が配設されているとともに、前記外殻体の後面壁側には、前記出入口の後面壁開口部から出てくる前記消防ホースを二列状態でよじれないように案内して分割リールに巻き取る巻き取り枠体が配設されており、前記巻き取り枠体は、一端側が後面壁に枢着部を介して枢着されているとともに他端側と支持台の下部との間に屈伸自在な支持棒が介在されており、加えて、他端側には補助支持脚の上端側が枢着部を介して枢着されていて、前記支持棒を伸長させるとともに補助支持脚を垂直にして下端に配設された高さ調節部の突出長さを調節することにより水平位置に固定することができ、しかも、前記分割リールが分割自在な一方のリール半体および他方のリール半体からなり、少なくとも他方のリール半体が前記巻き取り枠体に対して着脱自在であることを特徴とする消防ホース洗浄装置。
【請求項２】
前記出入口の後面壁開口部から出てくる前記消防ホースを挟圧して洗浄液を脱液する脱液手段を有することを特徴とする請求項１記載の消防ホース洗浄装置。
【請求項３】
前記案内枠体および前記巻き取り枠体は、一端側が前記外殻体に枢着されているとともに他端側が屈伸自在な支持棒を介して支持されており、前記支持棒を屈曲させて前記支持台側へ折りたたみ自在に構成されていることを特徴とする請求項１または２記載の消防ホース洗浄装置。
【請求項４】
前記洗浄液散布手段は、バルブが介在された洗浄液供給管に接続されており、前記バルブの開度を変化させることにより洗浄液の散布量を変化できるように構成されていることを特徴とする請求項１ないし３いずれか１項記載の消防ホース洗浄装置。
【発明の詳細な説明】
【０００１】
【発明の属する技術分野】
本発明は、消防ホースの洗浄に用いる消防ホース洗浄装置に関するものである。
【０００２】
【従来の技術】
消火活動において使用された消防ホースに付着している泥、炭化物等の落ち難い汚れを洗浄するための消防ホース洗浄装置の一従来例について説明する。
【０００３】
この従来の消防ホース洗浄装置は、図１０に示すように、取付桿１０１に取付けられた複数のホース吊り掛け具１０２と、両側に立設された支柱１０３に上下動可能に案内されたボックス１０４と、ボックス１０４内に配設された複数の洗浄ブラシ１０５とを備えており、各ホース吊り掛け具１０２に使用後の消防ホースを引っ掛けて吊り下げてその両端を下方に配設されたホース留め具１０６に係止した状態で各洗浄ブラシ間に介在させ、各洗浄ブラシ１０５を回転させるとともに洗浄液を散布しつつボックス１０４とともに上下動させて洗浄するように構成されている。
【０００４】
ここで、取付桿１０１に取り付けられたホース吊り掛け具１０２の上下動は、モータ１１１を正逆回転させてシャフト１１２と一体回転するドラム１１３に巻回されたワイヤ１１４の巻き取り長さを変化させて行なう。また、各洗浄ブラシ１０５の上下動は、モータ１２１を正逆回転させてシャフト１２２に一体に設けられたスプロケット１２３に巻回されたチェーン１２５を正・逆方向（矢印方向）へ回動させて行なう（特開平８−１９６２２号公報参照）。
【０００５】
【発明が解決しようとする課題】
上記従来の技術は、一度に大量の消防ホースの洗浄を行なうことができる。しかしながら、消防ホースを吊り下げて洗浄を行なうため、洗浄装置全体が高さの高い大型のものとなり、使用時における設置場所や非使用時における格納場所に広いスペースを必要とし、設備コスト高を招くという未解決の課題があった。
【０００６】
本発明は、上記従来の技術の有する未解決の課題に鑑みてなされたものであり、使用時における設置場所や非使用時における格納場所に広いスペースを必要としない小型の消防ホース洗浄装置を提供することを目的とするものである。
【０００７】
【課題を解決するための手段】
上記目的を達成するため、本発明の消防ホース洗浄装置は、支持台に支持された箱状の外殻体と、前記外殻体内に配設された上下一対の回転ブラシおよび洗浄液散布手段と、前記上下一対の回転ブラシを回転させる回転駆動手段と、前記外殻体の一方の側壁から前面壁および後面壁にわたって三面に開口する出入口とを有し、前記一方の側壁側から前記出入口を介して消防ホースを前記上下一対の回転ブラシ間に出し入れできるように構成された洗浄機本体を備えており、前記外殻体の前面壁側には、前記出入口の前面壁開口部へ前記消防ホースを二列状態でよじれないように案内する案内枠体が配設されているとともに、前記外殻体の後面壁側には、前記出入口の後面壁開口部から出てくる前記消防ホースを二列状態でよじれないように案内して分割リールに巻き取るための巻き取り枠体が配設されており、前記巻き取り枠体は、一端側が後面壁に枢着部を介して枢着されているとともに他端側と支持台の下部との間に屈伸自在な支持棒が介在されており、加えて、他端側には補助支持脚の上端側が枢着部を介して枢着されていて、前記支持棒を伸長させるとともに補助支持脚を垂直にして下端に配設された高さ調節部の突出長さを調節することにより水平位置に固定することができ、しかも、前記分割リールが分割自在な一方のリール半体および他方のリール半体からなり、少なくとも他方のリール半体が前記巻き取り枠体に対して着脱自在であることを特徴とするものである。
【０００８】
また、前記出入口の後面壁開口部から出てくる前記消防ホースを挟圧して洗浄液を脱液する脱液手段を有するものとする。
【０００９】
さらに、前記案内枠体および前記巻き取り枠体は、一端側が前記外殻体に枢着されているとともに他端側が屈伸自在な支持棒を介して支持されており、前記支持棒を屈曲させて前記支持台側へ折りたたみ自在に構成してもよい。
【００１０】
加えて、前記洗浄液散布手段は、バルブが介在された洗浄液供給管に接続されており、前記バルブの開度を変化させることにより洗浄液の散布量を変化できるように構成してもよい。
【００１１】
【発明の実施の形態】
先ず、本発明に係る消防ホース洗浄装置の一実施の形態について説明する。
【００１２】
図１ないし図３に示すように、支持台２上に支持された洗浄機本体Ｅは、前面壁１ａ、後面壁１ｂ、一方の側壁１ｃ、他方の側壁１ｄ、底壁１ｅおよび上面壁１ｆを有する箱形の外殻体１を有し、その内部が仕切壁１ｇによって洗浄部室３と駆動部室４の２室に区分されている。
【００１３】
洗浄部室３内には、後述する回転駆動手段により回転される上下一対の回転ブラシである上方回転ブラシ７および下方回転ブラシ８が配設されており、上方回転ブラシ７に隣接する部位に上方洗浄液散布手段９ａが配設されているとともに、下方回転ブラシ８に隣接する部位に下方洗浄液散布手段９ｂが配設されている。
【００１４】
上方回転ブラシ７および下方回転ブラシ８は、それぞれ両側端から突出する軸部７ａ、８ａを一方の側壁１ｃおよび仕切壁１ｇに軸受７ｂ、８ｂを介して回転自在に軸支することにより、上下方向に所定の間隔をおいて略平行に配設されている。
【００１５】
また、外殻体１には、消防ホース５０を側壁１ｃの側傍部位から上方回転ブラシ７と下方回転ブラシ８との間に出し入れできるように、一方の側壁１ｃ、前面壁１ａおよび後面壁１ｂの三面にわたって連続して開口する出入口５が設けられている。つまり、この出入口５は、一方の側壁１ｃに開口された側壁開口部と、前面壁１ａに開口された一方の側壁１ｃ側から仕切壁１ｇ近傍部位まで延在する前面壁開口部と、後面壁１ｂに開口された一方の側壁１ｃ側から仕切壁１ｇ近傍部位まで延在する後面壁開口部とからなり、一方の側壁１ｃに開口された側壁開口部にゴム等からなる可撓性板５ａをのれん状に付設することにより、消防ホース５０の出し入れは可能であるが洗浄液が外部へ飛散しないように構成されている。また、洗浄部室３の底壁１ｅには排液口６を設け、この排液口６より排液ホース６ａを介して洗浄液を排出するようになっている。
【００１６】
なお、本実施の形態において、洗浄部室３の底壁１ｅは平板状のものを示したが、これに限らず漏斗状等の傾斜部を有する底壁とし、その最下方部位に排液口６を設けたものに変更することができる。
【００１７】
一方、駆動部室４内には、上下一対の回転ブラシである上方回転ブラシ７および下方回転ブラシ８を回転駆動させる回転駆動手段が配設されている。因みに、本実施の形態における回転駆動手段は、モータ１１の出力軸１１ａに一体的に設けられた小プーリ１２と下方回転ブラシ８の軸部８ａに一体的に設けられた大プーリ１３との間にベルト１４をかけ回わし、下方回転ブラシ８の軸部８ａに一体的に設けられたスプロケット１５ａと上方回転ブラシ７の軸部７ａに一体的に設けられたスプロケット１５ｂとの間にチェーン１６をかけ回わすことにより、モータ１１を起動すると下方回転ブラシ８と上方回転ブラシ７とが同方向へ回転するように構成されている。しかしこれに限らず、歯車伝動機構やベルト伝動機構等を介してモータの出力軸の回転駆動力を上方回転ブラシおよび下方回転ブラシに伝動させるように変更できることはいうまでもない。
【００１８】
外殻体１の前面壁１ａ側には、消防ホース５０（図４参照）を出入口５の前面壁開口部へ二列状態でよじれないように案内する案内枠体２０が配設されており、後面壁１ｂ側には、出入口５の後面壁開口部より出てくる洗浄済の消防ホース５０を、二列状態でよじれがないように案内して分割リール４０に巻き取る巻き取り枠体３０が配設されている。
【００１９】
案内枠体２０は、一端側が前面壁１ａに枢着部２０ａを介して枢着されているとともに、他端側と支持台２の下部との間に屈伸自在な支持棒２１が介在されており、使用時には、支持棒２１を伸長させて図示水平位置に固定し、不使用時には支持棒２１を長手方向中間部の枢着部２１ａを屈曲支点として屈曲させて支持台２側へ折りたたむことができるようになっている。そして、案内枠体２０の他端側には、消防ホース５０を支持する水平案内ロール２２が略水平に軸支されているとともに、水平案内ロール２２と前面壁１ａとの略中間部位に、消防ホース５０がよじれないように案内するための３本の垂直案内ロール２３が、水平方向に設けられた支持桿２０ｂに長手方向へ互いに間隔をおいて垂直に軸支されている。
【００２０】
巻き取り枠体３０は、一端側が後面壁１ｂに枢着部３０ａを介して枢着されているとともに他端側と支持台２の下部との間に屈伸自在な支持棒３１が介在されており、加えて、他端側には補助支持脚３２の上端側が枢着部３２ａを介して枢着されている。このため、巻き取り枠体３０も、使用時には支持棒３１を伸長させるとともに補助支持脚３２を垂直にして下端に配設された高さ調節部３２ｂの突出長さを調節することにより図示水平位置に固定することができる。不使用時には、補助支持脚３２を枢着部３２ａを屈曲支点として巻き取り枠体３０側へ屈曲させ、さらに支持棒３１を長手方向中間部の枢着部３１ａを屈曲支点として屈曲させて支持台２側へ折りたたむことができるようになっている。加えて、巻き取り枠体３０の他端側に消防ホース５０を巻き取るための分割リール４０が配設されており、分割リール４０と後面壁１ｂとの間の略中間部位には、消防ホース６０がよじれないように案内するための３本の垂直案内ロール３３が、水平方向に設けられた支持桿３０ｂに長手方向へ互いに間隔をおいて垂直に軸支されている。
【００２１】
前記のように補助支持脚３２を設けてあるので、床面が平坦でない場所でも洗浄作業を安定して行なうことができる。また、案内枠体２０の垂直案内ロール２３および巻き取り枠体３０の垂直案内ロール３３は３本に限らず、必要に応じてその数を増減することができる。
【００２２】
分割リール４０は、巻き取り枠体３０に略水平に軸支された軸４１ａを有する一方のリール半体４１と、一方のリール半体４１に対して着脱自在な他方のリール半体４２からなる。一方のリール半体４１の軸心近傍部位に一対の連結軸４３（図６に示す）が平行に突設されているとともに、他方のリール半体４２には一対の連結軸４３に対応する一対の中空巻き取り軸４４が平行に突設されており、この一対の中空巻き取り軸４４に一対の連結軸４３を嵌挿して一体化させる。そして、他方のリール半体４２に付設されたハンドル４５を介して回転させて消防ホース５０を一対の中空巻き取り軸４４のまわりに巻き取ることができ、巻き取り完了後は他方のリール半体４２を矢印方向へ引っ張ることにより、一方のリール半体４１から離脱させることができるように構成されている。
【００２３】
出入口５の前面壁１ａに開口する前面壁開口部の下縁部側に下方ガイドロール２４が水平に配設されているとともに、上縁部側には上方ガイドロール２５が水平に配設されており、下方ガイドロール２４は一端側が一方の側壁１ｃよりも外方へ突出する長さに設定されている。
【００２４】
ここで、本実施の形態における消防ホース５０から洗浄液を脱液する脱液手段について詳細に説明する。図１、図４および図５に示すように、出入口５における後面壁１ｂに開口された後面壁開口部の両側縁部近傍部位には、それぞれ回動アーム３７の一端側が枢着されており、両回動アーム３７の自由端側に押えロール３６が回転自在に軸支されている。加えて、一方の回動アーム３７の長手方向中間部位にレバー３８の一端側が固着されているとともに、レバー３８の長手方向略中間部位に枢着部３８ａを介してストッパ３９の一端側が枢着されている。そして、レバー３８を介して両回動アーム３７と一体に押えロール３６を受けロール３５に当接する死点をわずかに超えた位置まで回動させ、ストッパ３９の自由端側に設けられた切欠部３９ａを係止ピン３９ｂに係合させることで押えロール３６をロックできるように構成されている。
【００２５】
また、消防ホース５０が上方回転ブラシ７と下方回転ブラシ８の間を確実に通過するように、出入口５における駆動部室４側端には、ガードロール３４が配設されている。
【００２６】
洗浄液散布手段９ａ、９ｂは、洗浄液供給管９より二又状に分岐された管状体からなり、上方回転ブラシ７および下方回転ブラシ８に対して略平行に配設されているとともに、上方回転ブラシ７および下方回転ブラシ８に向かって洗浄液を均一に散布できるように複数のノズル孔が長手方向に互いに間隔をおいて設けられている。
【００２７】
洗浄液供給管９にはバルブ１０ａが介在されており、このバルブ１０ａの開度を変化させると、図示しない洗浄液供給源から洗浄液散布手段９ａ、９ｂに供給される洗浄液の流量が変化し、ひいては洗浄液の散布量を変化させることができる。
【００２８】
また、洗浄液供給管９の途中に洗剤供給孔１０ｂ（図３に示す）を設け、この洗剤供給孔１０ｂをチューブ１８ａを介してポール１７に支持された洗剤容器１８に接続することにより、洗剤を供給できるようになっている。なお、ポール１７を高さ可変のものとして、洗剤容器１８の高さを変化させると洗剤の供給量を変化させることができるということはいうまでもない。
【００２９】
続いて、本実施の形態による消防ホース洗浄装置の作用について説明する。
【００３０】
（１）消防ホース５０を長手方向中間部で二つ折りにして折り目の部分を巻き初めとして二列になるように、一体化された分割リール４０における他方のリール半体４２の一対の中空巻き取り軸４４に巻き付ける。
【００３１】
（２）上記（１）ののち、消防ホース５０を一本ずつ巻き取り枠体３０の垂直案内ロール３３間に通すとともに、一方の側壁１ｃ側から出入口５を介して水平方向に押し込んで上方回転ブラシ７と下方回転ブラシ８間に挿入する（図４参照）。一方、消防ホース５０の案内枠体２０上の部分についても垂直案内ロール２３間に一本ずつ通しておく。
【００３２】
（３）上記（２）ののち、レバー３８を介して回動アーム３７と一体に押えロール３６を回動させて、押えロール３６と受けロール３５との間で消防ホース５０を挟圧した状態にし、ストッパ３９の切欠部３９ａを係止ピン３９ｂに係合させてロックしておく。
【００３３】
（４）上記（１）〜（３）の準備作業が完了したら、洗浄液散布手段９ａ、９ｂより洗浄液を散布するとともに、モータ１１を起動させて上方回転ブラシ７および下方回転ブラシ８を回転させて、消防ホース５０の洗浄作業を開始する。
【００３４】
（５）上記（４）の洗浄作業に伴なって、消防ホース５０の洗浄済の部分が押えロール３６と受けロール３５との間で挟圧されて洗浄液が脱液されると同時に偏平化されて巻き取り枠体３０上を分割リール４０に向かって進行するが、進行速度に合わせてハンドル４５を介して分割リール４０を回転させて消防ホース５０の洗浄済の部分を二列状態で巻き取って行く（図５参照）。
【００３５】
（６）上記、洗浄作業および巻き取り作業が完了したのち、ストッパ３９の切欠部３９ａを係止ピン３９ｂから外してロック状態を解除し、さらに回動アーム３７と一体に押えロール３６を上記（３）と逆方向に回動させて受けロール３５から離間させたのち、他方のリール４４を巻き取られた消防ホース５０ごと矢印方向に引き抜き、さらには上方回転ブラシ７と下方回転ブラシ８の間から消防ホース５０の継手５１側の部分を引き抜く（図６参照）。
【００３６】
（７）上記６ののち、消防ホース５０の折り目の部分に吊り下げ用ロープ等を通して吊り下げて他方のリール半体４４から離脱させる。
【００３７】
次に、消防ホース洗浄装置の他の形態について説明する。
【００３８】
この形態による消防ホース洗浄装置は、上述した一実施の形態による消防ホース洗浄装置を簡略化したものであって、洗浄機本体および支持台については、図３に示したものと同様でよいので同一符号を付して説明は省略し、異なる部分について以下に説明する。
【００３９】
図７に示すように、本実施の形態による消防ホース洗浄装置は、外殻体１の前面壁１ａ側に消防ホース５０を出入口５の前面壁開口部へ二列状態でよじれないように案内する案内枠体７０が配設されており、後面壁１ｂ側に出入口５の後面壁開口部より出てくる消防ホース５０を二列状態でよじないように案内して分割リール６０に巻き取る巻き取り枠体８０が配設されている。
【００４０】
案内枠体７０は、一端側が前面壁１ａに固着されている。案内枠体７０の他端側（先端側）に消防ホース５０を支持する水平案内ロール７２が略水平に軸支されているとともに、水平案内ロール７２と前面壁１ａとの略中間部位に、消防ホース５０を二列状態でよじれないように案内するための３本の垂直案内ロール７３が水平方向に設けられた支持桿７０ａに長手方向へ互いに間隔をおいて略垂直に軸支されている。
【００４１】
巻き取り枠体８０は、一端側が後面壁１ｂに固着されている。巻き取り枠体８０の他端側に消防ホース５０を巻き取るための分割リール６０が配設されており、分割リール６０と後面壁１ｂとの間の略中間部位には消防ホース５０を二列状態でよじれないように案内するための３本の垂直案内ロール８３が水平方向に設けられた支持桿８０ａに長手方向へ互いに間隔をおいて略垂直に軸支されている。
【００４２】
分割リール６０は、分解可能な一方のリール半体６１と、他方のリール半体６２とからなる。他方のリール半体６２は、中心軸６３と、中心軸６３を挟んで両側に略平行に延在する一対の巻き取り軸６４と、中心軸６３とは逆方向に突出するハンドル６５とを有しており、中心軸６３の長さは一対の巻き取り軸６４よりも長く設定されている。そして、中心軸６３の先端部を一方のリール半体６１の中心部に設けられた軸孔６１ａに嵌挿することで一体化され、巻き取り枠体８０の両側部の先端近傍に設けられた軸受凹部８１に中心軸６３の先端側とハンドル側の部分を着脱自在かつ回転可能に嵌合できるように構成されている。
【００４３】
出入口５における後面壁１ｂに開口する後面壁開口部には、上縁部から下縁部に向かって突出する可撓性を有する上方脱液板８５と下縁部から上縁部に向かって突出する可撓性を有する下方脱液板８６とが対向して配設されており、上方脱液板８５の先端と下方脱液板８６の先端の間を消防ホース５０が通過する際に、消防ホースを弾発力により挟圧して洗浄液の脱液を行なうとともに偏平化させるようになっている。つまり、本実施の形態においては、上方脱液板８５および下方脱液板８６によって消防ホースを挟圧して洗浄液を脱液する脱液手段が構成されている。
【００４４】
出入口５の外側には、上縁部をとり囲むＵ字状の上方案内枠体７４がＵ字状屈曲部が一方の側壁１ｃよりも外側へ突出した状態で配設するとともに、下縁部をとり囲むＵ字状の下方案内枠体７５がＵ字状屈曲部が一方の側壁１ｃよりも外側へ突出した状態で配設することにより、消防ホース５０を出入口５を介して出し入れする際に上下方向へずれないように案内できるように工夫されている。
【００４５】
また、消防ホース５０が上方回転ブラシ７と下方回転ブラシ８の間を確実に通過するように、上方案内枠体７４および下方案内枠体７５の反Ｕ字状屈曲部側先端部間には、ガードロール８４が配設されている。
【００４６】
次に、前記形態による消防ホース洗浄装置の一変形例について説明する。本変形例は、上述した図７に示した消防ホース洗浄装置をさらに簡略化した変形例であり、同一の部分は同一符号を付して説明は省略し、以下に異なる部分について説明する。
【００４７】
本変形例による消防ホース洗浄装置は、図９に示すように、外殻体１の前面壁１ａ側に、消防ホース５０を支持して出入口５の前面壁開口部へ二列状態でよじれないように案内する案内枠体７０が配設されており、後面壁１ｂ側に出入口５の後面壁開口部より出てくる消防ホース５０を二列状態でよじれないように案内して分割リール６０に巻き取る巻き取り枠体８０が配設されている。
【００４８】
案内枠体７０の他端側（先端側）に消防ホース５０を支持する水平案内ロール７２が略水平に軸支されているとともに、水平案内ロール７２と前面壁１ａとの略中間部位に、消防ホース５０を二列状態でよじれないように案内するための３本の垂直案内部材９２が、水平方向に設けられた支持板９１に長手方向へ互いに間隔をおいて略垂直に設けられている。また、巻き取り枠体８０には分割リール６０と後面壁１ｂとの略中間部位に、消防ホース５０を二列状態でよじれないように案内するための３本の垂直案内部材９３が、水平方向に設けられた支持板９４に長手方向へ互いに間隔をおいて略垂直に設けられている。
【００４９】
加えて、出入口５における一方の側壁に開口する側壁開口部に、上方可撓性板９５ａおよび下方可撓性板９５ｂが対向して配設されている。
【００５０】
【発明の効果】
本発明は上述のとおり構成されているので、次に記載するような効果を奏する。
【００５１】
使用後の汚れが付着した消防ホースを長手方向略中間部で二つ折りにして、折目の部分側より洗浄機本体の一方の側壁面側より押し込んで上方回転ブラシと下方回転ブラシとの間に挿入することができるため、消防ホースの両端の継手を取り外さなくても簡単に洗浄作業を行なうことができる。
【００５２】
また、小型で設置場所や格納場所に広いスペースを必要としないため、設備コストを著しく低減することができ、小量の使用済消防ホースの洗浄に適している。
【図面の簡単な説明】
【図１】一実施の形態による消防ホース洗浄装置を巻き取り枠側から見た斜視図である。
【図２】図１に示す消防ホース洗浄装置を案内枠側から見た斜視図である。
【図３】図１に示す消防ホース洗浄装置の洗浄機本体の内部を示す斜視図である。
【図４】図１に示す消防ホース洗浄装置の洗浄機本体に対して消防ホースを挿入する状態を示す説明図である。
【図５】図１に示す消防ホース洗浄装置における洗浄中の消防ホースを分割リールに巻き取る状態を示す説明図である。
【図６】図１に示す消防ホース洗浄装置において、洗浄済の消防ホースを取り出す状態を示す説明図である。
【図７】他の形態による消防ホース洗浄装置を巻き取り枠側から見た斜視図である。
【図８】図７に示す消防ホース洗浄装置における洗浄機本体から分割リールを取り外した状態を示す説明図である。
【図９】一変形例による消防ホース洗浄装置の斜視図である。
【図１０】従来の消防ホース洗浄装置の一例を示す斜視図である。
【符号の説明】
１    外殻体
１ａ    前面壁
１ｂ    後面壁
１ｃ    一方の側壁
１ｄ    他方の側壁
１ｅ    底壁
１ｆ    上面壁
１ｇ    仕切壁
２    支持台
３    洗浄部室
４    駆動部室
５    出入口
５ａ    可撓性板
６    排液口
７    上方回転ブラシ
７ａ、８ａ    軸部
７ｂ、８ｂ    軸受
８    下方回転ブラシ
９    洗浄液供給管
９ａ、９ｂ    洗浄液散布手段
１０ａ    バルブ
１０ｂ    洗浄供給孔
１１    モータ
１２    小プーリ
１３    大プーリ
１４    ベルト
１５ａ、１５ｂ    スプロケット
１６    チェーン
１７    ポール
１８    洗剤容器
１８ａ    チューブ
２０、７０    案内枠体
２１、３１    支持棒
２２、７２    水平案内ロール
２３、３３、７３、８３    垂直案内ロール
２４    下方ガイドロール
２５    上方ガイドロール
３０、８０    巻き取り枠体
３２    補助支持脚
３４、８４    ガードロール
３５    受けロール
３６    押えロール
３７    回動アーム
３８    レバー
３８ａ    枢軸
３９    ストッパ
３９ａ    切欠部
３９ｂ    係止ピン
４０、６０    分割リール
４１、６１    一方のリール半体
４２、６２    他方のリール半体
４３    連結軸
４４    中空巻き取り軸
４５、６５    ハンドル
５０    消防ホース
５１    継手
６３    中心軸
６４    巻き取り軸
８１    軸受凹部
９０    垂直案内部材
９１、９４    支持板
９２、９３    垂直案内部材
【図１】
0003624352.tif 000002
【図２】
0003624352.tif 000003
【図３】
0003624352.tif 000004
【図４】
0003624352.tif 000005
【図５】
0003624352.tif 000006
【図６】
0003624352.tif 000007
【図７】
0003624352.tif 000008
【図８】
0003624352.tif 000009
【図９】
0003624352.tif 000010
【図１０】
0003624352.tif 000011